(57)【要約】      （修正有）【課題】スピーディなストロボ回転機能を達成できるストロボ補助スタンドの提供。【解決手段】ストロボ補助スタンドで、それはカメラのレンズの外側に取付けられ、しかも一つのリング体が含まれている。リング体表面には一つの結合部が設置され、ストロボとの相互組合せに提供される。リング体内には１個以上の鋼球が設置されていて、リング体はこの鋼球とその中にある固定孔とで回転動作ができ、ストロボの調整と位置決めを行う。【選択図】図２
0003134211.tif 000002
【実用新案登録請求の範囲】
【請求項１】
リング体、鋼球、組合せ部及び台座を含み、
該リング体は１つのスライドリング及び第１固定リング及び第２固定リングで組成され、当該第１固定リング及び第２固定リングはそれぞれ当該スライドリングの前後側に設置され、当該固定リングには複数個の凹槽が成型されて、当該スライドリングには複数個の固定孔が成型され、
一つ以上の鋼球は当該凹槽内に設置され、
該組合せ部は当該リング体の頭頂部に設置され、及び、
該台座の一端には接合部が設置され、当該接合部はリング体と相互に君合わされ、当該台座の別の一端には１つのはめ込み固定部が設置されていることを特徴とするストロボ補助スタンド。
【請求項２】
当該台座はｂ字型に横にしたことができることを特徴とする請求項１記載のストロボ補助スタンド。
【請求項３】
当該台座には複数個の接合部が設置でき、それぞれの当該接合部には１つのリング体が設置できることを特徴とする請求項１記載のストロボ補助スタンド。
【請求項４】
当該第１固定リングと当該スライドリング間の固定様式は、１つの歯車モジュールにすることができることを特徴とする請求項１記載のストロボ補助スタンド。
【考案の詳細な説明】
【技術分野】
【０００１】
一種のストロボ補助スタンドで、その表面に取付けられたストロボについて位置決め調整の動作が行える。本考案は特に、スピーディな調整と一種のカメラの照射角度に相対するストロボの位置決め機能を達成する補助スタンドを指す。
【背景技術】
【０００２】
図１を参照してください。図中に示すのは周知のストロボ補助スタンドの立体外観図である。図に示すように、周知のストロボ補助スタンド１０は主に一つの連動作フレーム１０１及び一つの組合せ部１０２より組成され、そのうち連動フレーム１０１は逆Ｕ形をしており、その頭頂部に端組合せ部１０２が設置されている。この連動フレーム１０１両側はそれぞれカメラの表面及びカメラのレンズに設置され、組合せ部１０２表面には一つのストロボが設置されている。使用者は手動方式でストロボを揺らす時、連動フレーム１０１の複数個のフレームが連動とともに延ばされ、同時に連動フレーム１０１頭頂部に設置されている組合せ部１０２をストロボと連動させ、位置決め角度の変換を行う。しかし、一般的に連動フレーム１０１の連動でストロボの位置決め角度を変換する場合、その連動スムーズ性は低く、使用者はストロボの位置決め角度の調整にかなりの時間をかけて調整しなければならない。そして、調整にかける時間は使用者がベストショットを撮影する機会を見逃してしまうことになり、従って周知のストロボ補助スタンド１０は実際に再研究し改良する必要があった。
【考案の開示】
【考案が解決しようとする課題】
【０００３】
本考案の主要目的は、一種のスピーディなストロボ回転機能を達成するストロボ補助スタンドを提供することにある。
【０００４】
上述の目的を達成するため、本考案のストロボ補助スタンドは、主に一つのリング体、一つの台座、一つの組合せ部及び１個以上の鋼球型で組成され、そのリング体には一つのスライドリング、一つの第１固定リング及び第２固定リングが含まれている。且つ第１固定リングには複数個の凹槽が成型されていて、各凹槽には１個の鋼球が設置されている。スライドリング内には複数個の固定孔が成型されていて、上述した鋼球はめ込みに提供される。リング体の中央には一つの中空部が設置されて、頭頂部に組合せ部が設置され、別の一端は一つの接合部で台座と相互組合せ、且つ上述した鋼球はリング体内に設置され、この２つの鋼球間は同等距離間隔を形成している。ストロボはストロボ補助スタンドの組合せ部に設置され、カメラの底側にはストロボ補助スタンドの台座表面が設置でき、このカメラのレンズはリング体中空部に挿入設置され、使用者がストロボの位置決め角度を調整しようとする時、直接リング体のスライドリングを回転させるだけで、その中の鋼球が次のスライドリング固定孔にはめ込まれて、スライド位置決めの効果が達成できる。このようにして、ストロボ調整時の時間的ロスが省略できる。
【課題を解決するための手段】
【０００５】
請求項１の考案は、リング体、鋼球、組合せ部及び台座を含み、
該リング体は１つのスライドリング及び第１固定リング及び第２固定リングで組成され、当該第１固定リング及び第２固定リングはそれぞれ当該スライドリングの前後側に設置され、当該固定リングには複数個の凹槽が成型されて、当該スライドリングには複数個の固定孔が成型され、
一つ以上の鋼球は当該凹槽内に設置され、
該組合せ部は当該リング体の頭頂部に設置され、及び、
該台座の一端には接合部が設置され、当該接合部はリング体と相互に君合わされ、当該台座の別の一端には１つのはめ込み固定部が設置されていることを特徴とするストロボ補助スタンドとしている。
請求項２の考案は、当該台座はｂ字型に横にしたことができることを特徴とする請求項１記載のストロボ補助スタンドとしている。
請求項３の考案は、当該台座には複数個の接合部が設置でき、それぞれの当該接合部には１つのリング体が設置できることを特徴とする請求項１記載のストロボ補助スタンドとしている。
請求項４の考案は、当該第１固定リングと当該スライドリング間の固定様式は、１つの歯車モジュールにすることができることを特徴とする請求項１記載のストロボ補助スタンドとしている。
【考案の効果】
【０００６】
本考案のストロボ補助スタンドは、一種のスピーディなストロボ回転機能を達成するストロボ補助スタンドを提供することにある。
【考案を実施するための最良の形態】
【０００７】
図２を参照してください。図中に示すのは、本考案であるストロボ補助スタンドの正面断面図である。図に示すように、本考案のストロボ補助スタンド２０は主に一つのリング体２０１、一つの台座２０２、一つの組合せ部２０３及び１個以上の鋼球３０で組成されている。そのうち、組合せ部２０３はリング体２０１の頭頂部に設置され、リング体２０１の別の一端には台座２０２が設置され、且つその中には１個以上の鋼球３０が設置されている。また、このリング体２０１の中央には中空部２０４が設置されている。
【０００８】
図３を参照してください。図中に示すのは、本考案であるストロボ補助スタンドの側面断面図である。図に示すように、本考案のストロボ補助スタンド２０の台座２０２は横にしたb字型を呈することができ、この横にしたb字型の比較的高い部位に、一つのはめ込み部４０が設置され、このはめ込み部４０の底部には一つのねじ５０が穿設されている。台座の比較的低い部位表面には一つの接合部６０が溶接され、この接合部６０の周辺には２つの相対する留め壁６０１が形成されている。この２つの留め壁６０１の中には一つの収納スペースが形成されていて、この収納スペースにはリング体が設置されている。リング体２０１はまた一つの第１固定リング２０１１、一つの第２固定リング２０１２及び一つのスライドリング２０１３が含まれ、第１固定リング２０１１及び第２固定リング２０１２はそれぞれスライドリング２０１３の前後側に設置されている。上述の第１固定リング２０１１内の表面には複数個の凹槽２０１１１が成型され、且つスライドリング２０１３には複数個の固定孔２０１３１が成型されて、それぞれの凹槽２０１１１内には一つの鋼球３０が設置されている。
【０００９】
図４を参照してください。図中に示すのは、本考案であるストロボ補助スタンドの実施例図である。図に示すように、本考案のストロボ補助スタンド２０はカメラ７０と相互に組合せができる。このカメラ７０の底部はねじ５０を通して台座２０２のはめ込み部４０表面に設置され、カメラ７０のレンズ７０１はリング体２０１の中空部２０４に挿入され、しかも組合せ部２０３は一つのストロボ８０と相互にはめ込み組み合わされる。ストロボ８０の位置決めを調整しようとする場合、使用者は手動方式でストロボ８０を動かすことで、リング体２０１のスライドリング２０１３が回転動作を行うが、第１固定リング２０１１と第２固定リング２０１２は不動状態を維持する。この時、元々スライドリング２０１３の固定孔２０１３１内に止まっていた鋼球３０が転がり始め、固定孔２０１３１から離れて次の固定孔２０１３１まで転がりその中にはめ込まれる。そして組合せ部２０３はスライドリング２０１３の頭頂部に設置されて織り、しかも組合せ部２０３はストロボ８０と相互に組み合わされているため、スライドリング２０１３が回転する時、同時にストロボ８０も連動して位置点を変更する。使用者はさらにスライドリング２０１３を回転させて、ストロボ８０を希望する位置点まで回転させることができる。
【００１０】
図５を参照してください。図中に示すのは、本考案であるストロボ補助スタンドの好ましい実施例図(一)である。図に示すように、本考案のストロボ補助スタンド２０の組合せ部２０３は当てブロック９０の一端と相互組合せでき、この当てブロック９０の別の一端には前述のストロボ８０が設置できる。このようにして、ストロボ８０が閃光を放つ時のその閃光範囲を拡大し、且つ写真撮影時の影発生の可能性を低減できる。
【００１１】
図６を参照してください。図中に示すのは、本考案であるストロボ補助スタンドの好ましい実施例図(二)である。図に示すように、本考案のストロボ補助スタンド２０のリング体２０１には、図中に示す２つのスライドリング２０１３と２０１４のように、複数個のスライドリングを含むことができる。２つのスライドリング２０１３と２０１４の間には１つの第３固定リングが設置され、その外側はそれぞれ前述の第１固定リング２０１１、第２固定リング２０１２が設置され、各スライドリング２０１３及び２０１４の外縁にはそれぞれ１つの組合せ部２０３が設置され、前述のストロボ８０設置に供している。写真撮影時に、使用者は要求に基づいてそれぞれスライドリング２０１３、２０１４の位置決め角度を調整できる。このスライドリング２０１３、２０１４は第１固定リング２０１１、第２固定リング２０１２、第３固定リング２０１５を通じて回転動作ができ、スライドリング２０１３、２０１４に比較的高効率の閃光効果調整を提供している。
【００１２】
また、本考案のストロボ補助スタンド２０のリング体２０１の、そのうちの第１固定リング２０１１とスライドリング２０１３は歯車による固定様式で鋼球３０の固定様式に代えることができ、ストロボの定位置変換が行える。
【００１３】
以上説明したように、本考案は実施後、確実に一種のスピーディなストロボ回転機能達成を提供できるストロボ補助スタンドである。
【図面の簡単な説明】
【００１４】
【図１】周知のストロボ補助スタンドの正面図である。
【図２】本考案のストロボ補助スタンドの正面断面図である。
【図３】本考案のストロボ補助スタンドの側面断面図である。
【図４】本考案のストロボ補助スタンドの実施例図である。
【図５】本考案のストロボ補助スタンドの好ましい実施例図(一)である。
【図６】本考案のストロボ補助スタンドの好ましい実施例図(二)である。
【符号の説明】
【００１５】
１０  ストロボ補助スタンド
１０１  連動フレーム
１０２  組合せ部
２０  ストロボ補助スタンド
２０１  リング体
２０１１  第１固定リング
２０１１１  凹槽
２０１２  第２固定リング
２０１３  スライドリング
２０１３１  固定孔
２０１４  スライドリング
２０１５  第３固定リング
２０２  台座
２０３  組合せ部
２０４  中空部
３０  鋼球
４０  はめ込み部
５０  ねじ
６０  接合部
６０１  留め壁
７０  カメラ
７０１  レンズ
８０  ストロボ
９０  当てブロック
【図１】
0003134211.tif 000003
【図２】
0003134211.tif 000004
【図３】
0003134211.tif 000005
【図４】
0003134211.tif 000006
【図５】
0003134211.tif 000007
【図６】
0003134211.tif 000008